(57)【特許請求の範囲】
【請求項１】
眼鏡を用いて鑑賞する３次元映像コンテンツを提供する映像情報提供部と、映像表示部と、前記３次元映像コンテンツを前記映像表示部に出力する映像出力部と、眼鏡の専用収納部と、眼鏡が不要のとき前記専用収納部への眼鏡の収納を勧告する勧告部とを有し、前記勧告部は、映像コンテンツ終了時に前記勧告を行うことを特徴とする映像鑑賞装置。
【請求項２】
前記勧告部は、映像鑑賞装置の使用終了時に前記勧告を行うことを特徴とする請求項１記載の映像鑑賞装置。
【請求項３】
前記専用収納部は、眼鏡の収納状態を検知する収納検知部を有し、前記勧告部は、前記収納検知部が眼鏡の収納を検知しないとき勧告を行うことを特徴とする請求項１または２記載の映像鑑賞装置。
【請求項４】
眼鏡の使用状態を検知する使用検知部と、前記使用検知部の検知に基づき、眼鏡が使用されているときは前記３次元映像コンテンツを３次元映像として前記映像表示部に出力するとともに眼鏡が使用されていないときは前記３次元映像コンテンツを２次元映像として前記映像表示部に出力するよう前記映像出力部を制御する制御部とを有することを特徴とする請求項１から３のいずれかに記載の映像鑑賞装置。
【請求項５】
前記映像情報提供部は２次元映像コンテンツを提供することが可能であるとともに、前記映像出力部は前記２次元映像コンテンツを前記映像表示部に出力することが可能であり、さらに、眼鏡に３次元映像鑑賞のための同期信号を送信する同期信号送信部と、前記映像情報提供部から提供される３次元映像コンテンツに２次元映像コンテンツが混在するとき前記同期信号送信部からの同期信号の送信を停止する制御部を有することを特徴とする請求項１から４のいずれかに記載の映像鑑賞装置。
【発明の詳細な説明】
【技術分野】
【０００１】
本発明は、映像鑑賞装置に関する。
【背景技術】
【０００２】
近年、テレビなど映像鑑賞装置において３次元画像を鑑賞するものが種々提案されている。例えば特開２００９−２９６１１８号公報（特許文献１）には、テレビ放送データを受信可能な放送受信端末装置おいて、ユーザの現在位置が３Ｄ画像を立体視するのに適した適正範囲内にあると判別された場合に３Ｄ画像を前記表示画面に表示させ、３Ｄ画像の表示開始後に前記判別手段によって適正範囲内にないと判別された場合に、それ以降に受信した３Ｄ画像を録画させるとともに表示画面に３Ｄ画像に代わって当該３Ｄ画像を２Ｄ変換した２Ｄ画像を切り替え表示させることが提案されている。
【０００３】
しかしながら３次元映像の鑑賞についてはさらに検討すべき課題が残されている。
【先行技術文献】
【特許文献】
【０００４】
【特許文献１】特開２００９−２９６１１８号公報
【発明の概要】
【発明が解決しようとする課題】
【０００５】
本発明が解決しようとする課題は、３次元映像の鑑賞が容易な映像鑑賞装置を提供することにある。
【課題を解決するための手段】
【０００６】
上記の課題を解決するため本発明は、眼鏡を用いて鑑賞する３次元映像コンテンツを提供する映像情報提供部と、映像表示部と、３次元映像コンテンツを３次元映像として映像表示部に出力するとともに３次元映像コンテンツを２次元映像として映像表示部に出力することが可能な映像出力部と、眼鏡の使用状態を検知する検知部と、検知部の検知に基づき、眼鏡が使用されているときは３次元映像コンテンツを３次元映像として映像表示部に出力するとともに眼鏡が使用されていないときは３次元映像コンテンツを２次元映像として映像表示部に出力するよう映像出力部を制御する制御部とを有する映像鑑賞装置を提供する。眼鏡を用いて３次元映像コンテンツを鑑賞する映像鑑賞装置は画質の利点の反面眼鏡が不可欠であるが、上記の構成により眼鏡の仕様不使用にかかわらず３次元映像コンテンツの鑑賞が可能となる。例えば、眼鏡を用意する前に３次元映像コンテンツの表示が開始された場合など、不快な２重像を見ることを避けることができる。
【０００７】
本発明の具体的な特徴によれば、検知部は、眼鏡から無線で眼鏡使用状態の情報を受信する。これによって、映像鑑賞装置は眼鏡の使用不使用を検知して適切な画像を映像表示部に出力することができる。より具体的な特徴によれば、映像鑑賞装置は眼鏡に３次元映像鑑賞のための同期信号を送信する同期信号送信部を有し、検知部は前記同期信号の送信に応答して眼鏡から眼鏡使用状態の情報を受信する。さらに具体的には、検知部は、同期信号の眼鏡からの反射を検知する。これによって眼鏡との連携に必要な同期信号を利用して眼鏡の仕様状態の検知が可能となる。
【０００８】
本発明の他の具体的な特徴によれば、映像鑑賞装置は眼鏡の収納部を有し、検知部は収納部における眼鏡の収納状態を検知する。これによって収納部に眼鏡が収納されていれば眼鏡が鑑賞に使用されていないことを知ることができる。
【０００９】
本発明の他の具体的な特徴によれば、検知部は、複数の眼鏡の内から個々の眼鏡を識別する。これによって、例えば年齢や性別に合せてサイズが異なる複数の眼鏡や度付の眼鏡を個人用に用意することが可能となる。さらに具体的な特徴によれば、映像鑑賞装置は識別のために個々の眼鏡を登録する登録手段を有する。
【００１０】
本発明の他の特徴によれば、２次元映像コンテンツおよび眼鏡を用いて鑑賞する３次元映像コンテンツを提供することが可能な映像情報提供部と、映像表示部と、２次元映像コンテンツおよび３次元映像コンテンツを映像表示部に出力することが可能な映像出力部と、眼鏡に３次元映像鑑賞のための同期信号を送信する同期信号送信部と、映像情報提供部から提供される３次元映像コンテンツに２次元映像コンテンツが混在するとき同期信号送信部からの同期信号の送信を停止する映像鑑賞装置が提供される。これによって２次元画像が出力されている間、眼鏡の同期が停止するので目を休めることが可能となる。上記において３次元映像コンテンツ混在する２次元映像コンテンツの例は、コマーシャルメッセージである。
【００１１】
上記本発明の具体的な特徴によれば、映像出力部は、映像情報提供部から提供される３次元映像コンテンツに２次元映像コンテンツが混在するとき２次元画像である旨の案内を前記映像表示部に表示する。これによって、鑑賞者が望めば一時的に眼鏡を外して映像を見ることで目を休めることが可能となる。
【００１２】
本発明の他の特徴によれば、眼鏡を用いて鑑賞する３次元映像コンテンツを提供する映像情報提供部と、映像表示部と、前記３次元映像コンテンツを前記映像表示部に出力する映像出力部と、眼鏡の収納部とを有する映像鑑賞装置が提供される。上記のように眼鏡を用いて３次元映像コンテンツを鑑賞する映像鑑賞装置では眼鏡が不可欠であるが、眼鏡はその性質上映像鑑賞装置を別体であり、万一所在が不明になると映像鑑賞装置からせっかく３次元映像コンテンツが出力されても鑑賞が不可能となる。上記の特徴は映像鑑賞装置に眼鏡の収納部を設けることにより両者の一体性を高め、眼鏡紛失のリスクを軽減する。これによって収納部の活用度をより高めることができる。具体的な特徴によれば、収納部は、眼鏡の収納状態を検知する。これによって収納状態の確認が容易となり、必要に応じ収納状態を表示することなども可能となる。さらに具体的な特徴によれば、勧告部は、検知部が眼鏡の収納を検知しないとき勧告を行う。これによって無用な勧告がなくなり勧告がより的確となる。
【００１３】
本発明の他の特徴によれば、眼鏡を用いて鑑賞する３次元映像コンテンツを提供する映像情報提供部と、映像表示部と、３次元映像コンテンツを映像表示部に出力する映像出力部と、眼鏡が不要のとき眼鏡の保管を勧告する勧告部を有する映像鑑賞装置が提供される。これによって眼鏡が所在不明となるリスクを軽減することができる。より具体的には、映像情報低胸部は２次元映像コンテンツおよび眼鏡を用いて鑑賞する３次元映像コンテンツを提供することが可能であり映像出力部は２次元映像コンテンツおよび３次元映像コンテンツを前記映像表示部に出力することが可能である。そして勧告部は、２次元映像コンテンツが映像表示部に出力されるとき勧告を行う。これによって的確な勧告が可能となる。
【００１４】
上記本発明の具体的な特徴によれば、勧告は映像表示部または音声出力部によって行う。他の具体的な特徴によれば、勧告は映像コンテンツ終了時または映像鑑賞装置の使用終了時に行う。これにより、タイムリーな勧告が可能となり勧告効果が高まる。
【００１５】
本発明の他の特徴によれば、眼鏡を用いて鑑賞する３次元映像コンテンツを提供する映像情報提供部と、映像表示部と、３次元映像コンテンツを映像表示部に出力する映像出力部と、複数の眼鏡を識別する識別部とを有する映像鑑賞装置が提供される。これによって映像鑑賞装置によって出力される３次元画像を複数人でそれぞれの個性に適した形で鑑賞することが可能となる。具体的には、識別部は、無線により複数の眼鏡を識別する。他の具体的な特徴によれば、識別部は、機械的接触により複数の眼鏡を識別する。
【００１６】
本発明の他の特徴によれば、２次元映像コンテンツおよび眼鏡を用いて鑑賞する３次元映像コンテンツを提供することが可能な映像情報提供部と、映像表示部と、２次元映像コンテンツおよび前記３次元映像コンテンツを前記映像表示部に出力することが可能な映像出力部と、映像情報提供部から３次元映像情報が提供されるとき眼鏡の使用を勧告する勧告部とを有する映像鑑賞装置が提供される。これにより適切な３次元画像の鑑賞が可能となる。具体的には、眼鏡の使用状態を検知する検知部を有し、勧告部は検知部の検知に基づいて眼鏡の使用を勧告する。これによって無用な勧告がなくなりより的確で効果的な勧告が可能となる。
【発明の効果】
【００１７】
上記のように、本発明によれば眼鏡を用いて３次元映像コンテンツを提供する映像鑑賞装置において観賞装置と眼鏡との効果的な連携が可能となる。
【図面の簡単な説明】
【００１８】
【図１】本発明の実施の形態に係る３次元映像の鑑賞システムの実施例のブロック図を示した図面代用写真である。
【図２】図１の実施例におけるテレビ制御部の機能の基本フローチャートを示した図面代用写真である。
【図３】図２のステップＳ８の詳細のフローチャートを示した図面代用写真である。
【図４】図２のステップＳ１２の詳細のフローチャートを示した図面代用写真である。
【図５】図２のステップＳ２０の詳細のフローチャートを示した図面代用写真である。
【図６】図２のステップＳ２６の詳細のフローチャートを示した図面代用写真である。
【図７】図２のステップＳ３４の詳細のフローチャートを示した図面代用写真である。
【発明を実施するための形態】
【実施例１】
【００１９】
図１は、本発明の実施の形態に係る３次元（３Ｄ）コンテンツ出力システムの実施例を示すブロック図である。実施例は、３Ｄテレビ２および３Ｄ眼鏡４として構成され、３Ｄテレビ２のテレビ画面６に時分割で交互に表示される右目用画像と左目用画像を同期して作動する３Ｄ眼鏡４の右目用シャッタ８および左目用シャッタ１０で右目および左目に入射させるシステムとなっている。
【００２０】
３Ｄテレビ２では、アンテナまたはケーブルから伝達される信号に基づいて放送番組をチューナー部１２で受信し、ＡＶ出力部１４はチューナー部からの放送番組に基づいてテレビ画面６に画像を、スピーカ１６に音声を出力する。ＡＶ出力部１４は、音空間を豊富にするため外部スピーカ１８にも音声を出力する。デジタルレコーダ２０は、チューナー部１２からの放送番組を録画し、これを再生することによりＡＶ出力部１４に出力することができる。なおＡＶ出力部１４は、チューナー部１２またはデジタルレコーダ２０からの番組が３Ｄ番組であっても、その出力を右目用画像または左目用画像に限ることにより２次元（２Ｄ）画像としてテレビ画面６に出力させることができる。このとき、例えば出力を右目用画像に限るときは３Ｄ画像の左目用画像のタイミングにおいて右目用画像を補間した画像を出力する。
【００２１】
以上のチューナー部１２、ＡＶ出力部１４およびデジタルレコーダ２０の機能はテレビ制御部２２によって制御されている。記憶部２４はテレビ制御部２２の動作に必要なプログラムを格納するとともに、必要なデータを一時的に格納する。同期信号発生部２６は、３Ｄ番組がテレビ画面６に表示されるときこれに同期して右目用シャッタ８および左目用シャッタ１０を交互に透過および遮光状態とするための同期赤外線信号３０を発生する。３Ｄ眼鏡４の受信部３２は、同期赤外線信号３０を受信し、これに基づいて眼鏡制御部３４は右目用シャッタ８および左目用シャッタの透過および遮断状態を制御する。なお、右目用シャッタ８および左目用シャッタ１０は、受信部３２が同期赤外線信号３０を受信しない時ともに透過状態となる。
【００２２】
３Ｄテレビ２には、不使用時に３Ｄ眼鏡４を収納するための眼鏡収納部３６を有する。眼鏡収納部３６は、登録された複数の３Ｄ眼鏡４を収納することができ、内部の眼鏡保持部との機械的接触により個々の３Ｄ眼鏡４を識別してそれぞれが収納されているかどうかをテレビ２２に伝えることができる。外部スピーカ３８も同様の眼鏡収納部３８を有し、テレビ制御部２２は、どの３Ｄ眼鏡４が３Ｄテレビ２の本体も眼鏡収納部３６または外部スピーカ１８の眼鏡収納部３８のいずれに収納されているかを個別に識別できる。また、３Ｄ番組が終わって３Ｄ眼鏡４が眼鏡収納部３６または眼鏡収納部３８に収納されたかどうかのチェックを行い、紛失を防止することができる。
【００２３】
個々の３Ｄ眼鏡４はそれぞれ異なった特性を有する変調反射部４０を有する。変調反射部は例えば特有のパターンを有しており、同期信号発生部２６からの同期赤外線信号４２の反射光４４に含まれるパターン情報を変調反射受光部４６で受光検知することにより、個々の３Ｄ眼鏡４を識別する。これにより、どの３Ｄ眼鏡４が３Ｄテレビ２に向けて
使用されているかを検知することができる。このようにして、３Ｄ番組の表示において、少なくとも一つの３Ｄ眼鏡４が眼鏡収納部３６から取り出されて使用され、３Ｄテレビ２に向いているときは３Ｄ画像をテレビ画面６に表示する。一方、変調反射受光部４６が反射光を検知しないときは、３Ｄ番組であってもテレビ画面６に２Ｄ画像を表示する。
【００２４】
３Ｄ眼鏡４はさらに機械的識別部４８を有しており、眼鏡収納部３６または３８は機械的識別部４８の眼鏡保持部との機械的接触により収納の有無および収納された３Ｄ眼鏡の個別識別を行うことができる。なお、同じ３Ｄ眼鏡４における変調反射部４０と機械的識別部４８は３Ｄ眼鏡に固有の同じＩＤにより関係付けられている。このようにＩＤにより複数の３Ｄ眼鏡を識別可能にしておけば、３Ｄ眼鏡を互いに異なったサイズとしたり度付としたりして個人専用のものとすることも可能となる。
【００２５】
図２は、図１の実施例の３Ｄテレビ２のテレビ制御部２２の機能を示す基本フローチャートである。図２のフローは３Ｄテレビ２の電源オンでスタートし、ステップＳ２で３Ｄテレビ２の初期立上処理を行う。初期立上処理では、３Ｄテレビ２の各部の機能をチェックするとともに、前回電源オフ時のチャンネル選局や音量セット状態を再現する。次いでステップＳ４では、前回電源オフ時の選局状態での放送表示を開始してステップＳ６に移行する。
【００２６】
ステップＳ６では、３Ｄ眼鏡４の登録操作が行われたかどうかチェックし、操作が検知されるとステップＳ８の眼鏡登録処理を実行してステップＳ１０に移行する。また、ステップＳ６で眼鏡登録操作の検知がなければ直接ステップＳ１０に移行する。ステップＳ８の眼鏡登録処理は、眼鏡収納部３６および３８による３Ｄ眼鏡４の収納管理および変調反射受光部４６における３Ｄ眼鏡４の識別のために個々の３Ｄ眼鏡４を新規に登録するための処理であるがその詳細は後述する。
【００２７】
ステップＳ１０では、３Ｄ番組の放送が行われているかどうかをチェックし、該当すればステップＳ１２の３Ｄ準備処理に入る。ステップＳ１２の３Ｄ準備処理は、３Ｄ番組の放送における３Ｄ眼鏡４の準備状態の確認に関する処理であり、同期信号の照射開始を含むものであるがその詳細は後述する。次いでステップＳ１４では、登録済の３Ｄ眼鏡４が眼鏡収納部３６または３８に収納されているかどうかをチェックし、収納があれば眼鏡収納部３６および３８のいずれに何本の３Ｄ眼鏡４が収納されているかを表示してステップＳ１８に移行する。ステップＳ１６での表示は、３Ｄ眼鏡４の使用開始または使用者増加にあたって収納部からの取り出しを容易にするために行うものである。一方、ステップＳ１４で登録眼鏡の収納が検知されない場合は直接ステップＳ１８に移行する。
【００２８】
ステップＳ１８では、ステップＳ８で開始された同期信号照射に伴う３Ｄ眼鏡４の変調反射部からの反射光が変調反射受光部４６によって受光されているかどうかをチェックする。いずれかの３Ｄ眼鏡４からの変調反射光受光が検知されるとステップＳ２０に進み、３Ｄ表示処理を実行してステップＳ２２に移行する。一方、ステップＳ１８で変調反射光の受光が検知されない場合はステップＳ２４に移行し、３Ｄ番組であっても２Ｄ表示を設定してステップＳ２２に移行する。なお、ステップＳ１０で３Ｄ番組でなかったときもステップＳ２４に移行し、２Ｄ表示を設定してステップＳ２２に移行する。ステップＳ２０の３Ｄ表示処理は、３Ｄ表示の設定を含む３Ｄ番組表示の実行に関する処理であるがその詳細は後述する。
【００２９】
ステップＳ２２では、番組が終了したかどうかをチェックし、終了が検知されるとステップＳ２６に進み、番組終了処理を行ってステップＳ２８に移行する。一方ステップＳ２２で番組終了が検知されないときは直接ステップＳ２８に移行する。なお、ステップＳ２６の番組終了処理は、紛失防止のために３Ｄ眼鏡４の収納勧告を含む処理であるがその詳細は後述する。
【００３０】
ステップＳ２８では、チャンネル変更操作があったかどうかをチェックし、操作が検知されないときはステップＳ３０に進んで録画再生開始操作があったかどうかチェックする。一方、ステップＳ２８でチャンネル変更操作が検知された時はステップＳ１０に戻る。以下、ステップＳ２８でチャンネル変更操作が検知される毎にステップＳ１０からステップＳ２８を繰り返し、２Ｄ番組と３Ｄ番組との間の変化および３Ｄ眼鏡４の使用有無の変化があればこれらに対応する。ステップＳ３０では録画再生開始操作の有無をチェックしている。そして、ステップＳ３０で録画再生開始操作が検知されたときもステップＳ１０に戻り、以下、ステップＳ３０で録画再生開始操作が検知される毎にステップＳ１０からステップＳ３０を繰り返し、録画再生開始された番組の２Ｄ番組と３Ｄ番組との間の変化および３Ｄ眼鏡４の使用有無の変化に対応する。
【００３１】
一方、ステップ３０で録画再生開始操作が検知されないときはステップＳ３２に進み、電源オフ操作の有無をチェックする。そして電源オフ操作が検知されないときはステップＳ６に戻る。以下、ステップＳ３２で電源オフ操作が検知されない限りステップＳ６からステップＳ３２を繰り返し、番組の表示を継続するとともに、３Ｄ眼鏡４の新規登録操作、チャンネル変更操作、および録画再生開始操作に対応する。なお、この繰り返しの中では眼鏡収納部３６または３８からの３Ｄ眼鏡４の取り出しおよびその使用開始にも対応できる。さらに注目すべきは、フローの繰り返しの中でステップＳ１８に至るたびに登録済変調反射の受光が検知され、３Ｄ眼鏡４をかけるかかけないかで３Ｄ番組の表示が自動的に３Ｄ表示と２Ｄ表示の間で切換わることである。これにより３Ｄ表示に疲れたときは随時３Ｄ眼鏡４をはずすことができるとともに、３Ｄ眼鏡４をかければ随時３Ｄ表示の鑑賞に戻ることができる。但し、実施例におけるステップＳ１８の検知は誰か一人でも３Ｄ眼鏡４をかけているとステップＳ２０に進むものなので、ステップＳ２４への移行による２Ｄ表示への自動切換には鑑賞者全員の合意が必要である。
【００３２】
一方、ステップ３２で電源オフ操作が検知されたときはステップＳ３４の電源オフ処理を行ってフローを終了する。なお、ステップＳ３４の電源オフ処理は、紛失防止のために３Ｄ眼鏡４の収納勧告を含む処理であるがその詳細は後述する。
【００３３】
図３は、図２のステップＳ８における眼鏡登録処理の詳細を示すフローチャートである。フローがスタートすると、ステップＳ４２で登録のための同期信号が図１の同期信号発生部２６から照射開始される。そしてステップＳ４４で３Ｄ眼鏡４の変調反射部４０からの変調反射光が変調反射受光部で検知されるかどうかがチェックされる。このとき眼鏡登録操作に先立って新規に登録したい３Ｄ眼鏡４をすべて３Ｄテレビ２の前に置いておくとそれぞれの３Ｄ眼鏡４からの変調反射光が受光される。
【００３４】
ステップＳ４４で変調反射光が検知されたときは、ステップＳ４６に進み、３Ｄ眼鏡４によって異なる変調反射光の一つを選択する。そして、ステップＳ４８でその変調反射光を個別登録してステップＳ５０に移行する。ステップＳ５０では、未登録反射光の有無をチェックし、未登録のものがあればステップＳ４６に戻って次の変調反射光を一つ選択する。このようにして未登録の変調反射光がなくなるまでステップＳ４６からステップＳ５０が繰り返され、３Ｄテレビ２の前に置かれている全ての３Ｄ眼鏡４についてそれぞれ固有の変調反射光の登録を行う。
【００３５】
ステップＳ５０で未登録の変調反射光がないことが検知されるとステップＳ５２にステップＳ進み、登録のための同期信号の照射を停止する。一方、ステップＳ４４で変調反射光の受光が検知されない場合は、直接ステップＳ５２に移行する。通常この場合は、後述の収納登録のために眼鏡登録操作を行った場合に相当する。
【００３６】
ステップＳ５４では、眼鏡登録操作が収納登録操作であったかどうかチェックし、該当すればステップＳ５６に進んで、眼鏡収納部３６または３８に眼鏡が収納されているかどうかをチェックする。そして収納があればステップＳ５８に進み、収納されている３Ｄ眼鏡４の一つを選択し、ステップＳ６０に移行する。ステップＳ６０では、選択された３Ｄ眼鏡４の変調反射光が登録済みかどうかチェックする。上記のように、同じ３Ｄ眼鏡４における変調反射部４０と機械的識別部４８は同じＩＤで関係付けられているので、ＩＤの検索により機械的識別部４８で識別された３Ｄ眼鏡４の反射光が登録済み稼動かチェックが可能である。
【００３７】
ステップＳ６０で変調反射光が登録済であることが検知されるとステップＳ６２に進み、その３Ｄ眼鏡４の収納位置を個別登録してステップＳ６４に移行する。ステップＳ６４では、収納位置が未登録の３Ｄ眼鏡４の有無をチェックし、未登録のものがあればステップＳ５８に戻って収納中の未登録３Ｄ眼鏡４の中から次の一つを選択する。一方、ステップＳ６０で反射光登録済が検知できなかった３Ｄ眼鏡４の場合はステップＳ６６に進み、変調反射光が未登録である旨を表示するとともにステップＳ６８でその３Ｄ眼鏡４を選択対象から排除してステップＳ５８に戻る。従って、変調反射光未登録の３Ｄ眼鏡４は収納位置登録されることもない。
【００３８】
以上のようにして、ステップＳ６４で収納位置未登録の３Ｄ眼鏡４がなくなったことが検知されるまでステップＳ５８からステップＳ６８が繰り返され、眼鏡収納部３６または３８に収納されている反射光登録済の全ての３Ｄ眼鏡４について収納位置の登録が行われる。これによって、どの３Ｄ眼鏡４がどの位置に収納されているかが明確となり、例えば個人専用の３Ｄ眼鏡４を簡単に収納位置から取り出すことができる。一方、ステップＳ６４において、反射光登録済であって眼鏡収納部３６または３８に収納された全ての３Ｄ眼鏡４の収納位置が登録されたことが検知されるとステップＳ７０に移行する。一方、ステップＳ５４で収納登録操作が検知されなかったとき、またはステップＳ５６において３Ｄ眼鏡４の収納が検知されなかったときは直接ステップＳ７０に移行する。
【００３９】
ステップＳ７０では、ステップＳ４８によって新規登録されたものを含む変調反射光登録済の３Ｄ眼鏡４の総数をカウントする。さらにステップＳ７２では、ステップＳ６２によって新規登録されたものを含む収納位置登録済の３Ｄ眼鏡４の総数をカウントしてフローを終了する。なお、ステップＳ６０からステップＳ６８の機能により、変調反射光が登録されていない３Ｄ眼鏡４については収納位置の登録も行われないので、ステップＳ７２でカウントされる３Ｄ眼鏡４の総数は、ステップＳ７０でカウントされる数の内数となる。
【００４０】
図４は、図２のステップＳ１２における３Ｄ準備処理の詳細を示すフローチャートである。フローがスタートすると、ステップＳ８２で３Ｄ番組鑑賞のための同期信号照射が行われとともにステップＳ８４で登録済の変調反射光が受光されるかどうかがチェックされる。そして変調反射光の受光がないとステップＳ８６に進み、３Ｄ番組であってもテレビ画面６に２Ｄ画像を表示するようにしてステップＳ８６に進む。ステップＳ８８では、特に設定される案内省略モードかどうかをチェックし、案内表示省略モードの設定のない通常モードであることが検知されると、ステップＳ９０で３Ｄ眼鏡を着用すべき案内をテレビ画面６に表示するとともに、同趣旨の案内をスピーカ１６からアナウンスしてステップＳ９４に移行する。一方ステップＳで案内省略モードの設定が検知されると直接ステップＳ９４に移行する。
【００４１】
なお、ステップＳ８４で登録済変調反射光の受光が検知されたときも直接ステップＳ９４に移行する。この場合は、図２において既にステップＳ６からステップＳ３２の繰り返し状態に入って、３Ｄ表示により３Ｄ番組の鑑賞を継続している状態に該当する。ステップＳ９４では、テレビ２の本体の眼鏡収納部３６に収納されている登録済３Ｄ眼鏡４のチェックを行い、同様に、ステップＳ９６においては、外部スピーカ１８の眼鏡収納部３８に収納されている登録済３Ｄ眼鏡４のチェックを行ってフローを終了する。
【００４２】
図５は、図２のステップＳ２０における３Ｄ表示処理の詳細を示すフローチャートである。フローがスタートすると、ステップＳ１０２で案内省略モードの設定有無をチェックし、設定がなければステップＳ１０４に進み、３Ｄモードにて表示が行われていることの案内表示を行うとともに、使用されている３Ｄ眼鏡４が登録済でシステムに適合していることの案内表示を行ってステップＳ１０８に移行する。一方、ステップＳ１０２で案内省略モードの設定が検知されると直接ステップＳ１０８に移行する。ステップＳ１０８では、番組を３Ｄにて表示させる。
【００４３】
ステップＳ１１０では番組途中においてコマーシャルメッセージ（ＣＭ）が開始されたかどうかチェックする。そして該当すればステップＳ１１２に進んで３Ｄにて製作されたＣＭかどうかチェックする。ここで３ＤのＣＭでなければステップＳ１１４で同期信号を停止するとともに、ステップＳ１１６にて２Ｄモード表示中であることの案内表示を行う。そしてステップＳ１１８でＣＭが終了したかどうかチェックし、終了検知がない限りステップＳ１１４からステップＳ１１６を繰り返して同期信号の停止と２Ｄモード中案内表示を継続する。これは、２ＤのＣＭが行われている間、同期信号を停止することによって３Ｄ眼鏡４の右目用シャッタ８および左目用シャッタ１０をともに定常的な光透過状態にして目の疲労回復を図るとともに、２Ｄモード中であることの案内表示により、鑑賞者が望むならば３Ｄ眼鏡４を一時的にはずして休息することを可能とするものである。
【００４４】
一方、ステップＳ１１８でＣＭ終了が検知されるとステップＳ１２０で同期信号の照射を再開し、ステップＳ１２２で登録済変調反射の受光有無を検知する。そして、受光が検知されるとステップＳ１２４に進み案内省略モード設定の有無を検知する。設定がなければステップＳ１26に進み、３Ｄモードにて表示が行われていることの案内表示を行うとともに、ステップＳ１２８で番組を３Ｄにて表示させ、フローを終了する。なお、ステップＳ１２４で案内省略モードが設定されていれば直接ステップＳ１２８に移行する。
【００４５】
一方、ステップＳ１２２で登録済変調反射光の受光が検知されない場合はステップＳ１３０に進み、３Ｄ番組が再開してもテレビ画面６に２Ｄ画像を表示する。これは、ＣＭ中に３Ｄ眼鏡４をはずしてかけなおすのを忘れたか、または意図的に３Ｄ眼鏡４をかけなかった場合に対応するためである。なお、ステップＳ１３０で３Ｄ番組が２Ｄ表示にされた場合であっても、図２のフローの繰り返しの中の任意の時点で３Ｄ眼鏡４がかけなおされ、ステップＳ１８で登録済変調反射受光が検知されれば、図５のステップＳ１０８で３Ｄ表示が再開される。一方、ステップＳ１１０でＣＭ開始が検知されない場合、またはステップＳ１１２でＣＭが３Ｄのものであった場合は、３Ｄ表示を継続して直ちにフローを終了する。
【００４６】
図６は、図２のステップＳ２６における番組終了処理の詳細を示すフローチャートである。フローがスタートすると、ステップＳ１３２で同じチャンネルにおける次の番組が３Ｄ番組であるかどうかチェックする。そして３Ｄ番組でなければステップＳ１３４に移行し、ステップＳ２２で終了検知された番組が３Ｄ番組であったかどうかチェックする。そして３Ｄ番組であったときはステップＳ１３６に進み、３Ｄ眼鏡４の収納を勧告する案内表示をテレビ画面６に表示するとともに同趣旨のアナウンスをスピーカ１６から行ってステップＳ１４０に移行する。これは、ステップＳ１３２からステップＳ１３４を経由しステップＳ１３６に至った場合は、３Ｄ番組の鑑賞の後３Ｄ眼鏡４の不要な２Ｄ番組に移行した場合に該当するので３Ｄ眼鏡の収納忘れによる紛失を防止するためである。一方、ステップＳ１３２で次の番組が３Ｄであるときは３Ｄ眼鏡が必要なので直接ステップＳ１４０に移行する。また、ステップＳ１３４で３Ｄ番組が終了したのでなかったときは、それまで３Ｄ眼鏡４を使用していたわけではないので直接ステップＳ１４０に移行する。
【００４７】
ステップＳ１４０では、眼鏡収納部３６および３８からの情報に基づき、未収納の３Ｄ眼鏡４の有無を検知する。そして未収納のものがあった場合はステップＳ１４２に進み、３Ｄ眼鏡４の未収納状態を案内する表示を行ってフローを終了する。一方、ステップＳ１４０で未収納の３Ｄ眼鏡４がないことが確認されたときは直ちにフローを終了する。このようなステップＳ１４０およびステップＳ１４２の機能は終了した番組が２Ｄであっても３Ｄであっても行われるよう構成し、一つの番組が終了する毎に未収納の３Ｄ眼鏡があればこれについて注意喚起し、放置による紛失を防止する。
【００４８】
図７は、図２のステップＳ３４における電源オフ処理の詳細を示すフローチャートである。フローがスタートすると、ステップＳ１５２において、眼鏡収納部３６および３８からの情報に基づき、未収納の３Ｄ眼鏡４の有無を検知する。そして未収納のものがあった場合はステップＳ１５４に進み、３Ｄ眼鏡４の収納を勧告するアナウンスをスピーカ１６から行う。さらに、ステップＳ１５６において３Ｄ眼鏡４の未収納状態を案内する表示を行ってステップＳ１５８に移行する。
【００４９】
ステップＳ１５８では、ステップＳ３２における電源オフ操作から所定時間が経過したかどうかチェックし、時間経過がなければステップＳ１５２に戻る。以下、所定時間の経過がステップＳ１５８で検知されない限りステップＳ１５２からステップＳ１５８を繰り返して３Ｄ眼鏡４の収納を勧告するアナウンスと表示を継続する。一方、ステップＳ１５８で所定時間の経過が検知されるとステップＳ１６０に進み、３Ｄ眼鏡４の収納を勧告するアナウンスを停止するとともに、ステップＳ１５６において３Ｄ眼鏡４の未収納状態を案内する表示を停止してステップＳ１６４に移行する。一方、ステップＳ１５２で未収納の３Ｄ眼鏡４がないことが確認された場合は直ちにステップＳ１６４に移行する。そしてステップＳ１６４では電源オフを実行してフローを終了する。
【００５０】
３Ｄ眼鏡４は３Ｄ番組の鑑賞に不可欠であり、万一紛失するとせっかく３Ｄ番組が放送されてもこれを楽しむことができない。上記の種々の特徴は、このような３Ｄ眼鏡４紛失リスクを種々の観点から低減するとともに、３Ｄテレビ２と３Ｄ眼鏡４の連携を高め、テレビ鑑賞者にとってより使い易い３Ｄテレビシステムを提供するものである。
【００５１】
なお、以上の本発明の種々の特徴の実施は、上記実施例による実施に限るものではなく、その利点を享受できる限り広く他の実施態様が可能である。例えば、３Ｄ眼鏡４に変調反射部４０を設けず、３Ｄテレビ３側で３Ｄ眼鏡４を使用中であることの情報を無線で受信できないような簡便な構成をとることも可能である。この場合、眼鏡収納部３６に眼鏡が収納されていることの簡便な機械的検知により、間接的に３Ｄ眼鏡４が使用されていないものとみなすことができる。このとき、図２のステップＳ１８、図４のステップＳ８４、および図６のステップＳ１２２における「登録済変調反射項受光？」のステップを「全ての３Ｄ眼鏡収納中？」に代えて構成し、これによって３Ｄ番組であってもこれを２Ｄ表示することができる。
【産業上の利用可能性】
【００５２】
本発明は、眼鏡を使用する３Ｄテレビシステムに適用できる。
【符号の説明】
【００５３】
２  映像鑑賞装置
４  眼鏡
１２、２０  映像情報出力部
６  映像表示部
１４  映像出力部
３６、３８、４６  検知部
２２  制御部  
４６  無線による検知部  
５２  同期信号送信部
３６、３８  収納部  
２２、２４、３６、３８、４６  登録手段  
６、１６、１４、２２  勧告部
１６  音声出力部  
【図１】
0005500347.tif 000002
【図２】
0005500347.tif 000003
【図３】
0005500347.tif 000004
【図４】
0005500347.tif 000005
【図５】
0005500347.tif 000006
【図６】
0005500347.tif 000007
【図７】
0005500347.tif 000008